(57)【特許請求の範囲】
【請求項１】
使用者の足裏側を配置するための靴底部と、
前記靴底部から立ち上がり、使用者の足を包むように形成されるアッパー部と、
使用者の足を挿入するための履き口部と、
前記履き口部の一部を切り欠いて爪先側方向に向かって形成されている足挿入用開口部と、を有する左足用及び右足用からなる１足のベビーシューズであって、
前記足挿入用開口部に対応して配置されると共に、前記足挿入用開口部に対する相対位置を変化させることで、前記足挿入用開口部を開状態又は閉状態にすることができる舌状当接部と、
前記アッパー部の内足側に基端部を有し、前記足挿入開口部を跨ぐように配置されるベルト部と、を備え、
前記ベルト部の先端部の表面側には、該ベルト部を前記基端部側に固定可能なベルト待避位置固定部が形成され、
前記ベルト部を折り返し、前記ベルト待避位置固定部で、前記ベルト部を前記アッパー部側に固定することで、前記ベルト部及び前記舌状当接部を前記足挿入用開口部から待避させることができる構成となっており、
前記ベルト部は、前記舌状当接部と一体に接続され、前記足挿入用開口部の内足側に沿って、前記舌状当接部が前記アッパー部に接続されており、
前記ベルト部及び前記舌状当接部の双方には、脆弱部が形成され、この脆弱部に沿って、前記ベルト部及び前記舌状当接部は折り返されることで、前記ベルト部及び前記舌状当接部が前記アッパー部に沿って配置されて前記開状態となり、
前記ベルト部の前記先端部の裏面側には、先端部裏面側面ファスナが形成され、この先端部裏面側面ファスナに対応して前記アッパー部には、アッパー部側面ファスナが形成され、
前記右足用及び前記左足用ベビーシューズの前記ベルト部が折り返されて前記ベルト待避位置固定部が前記アッパー部の前記内足側の前記基端部側に固定されたとき、前記右足用又は前記左足用ベビーシューズの前記先端部裏面側面ファスナの一方は、他方のベビーシューズの前記先端部裏面側面ファスナと係合可能な構成となっていること特徴とするベビーシューズ。
【請求項２】
前記ベルト側待避位置固定部が、面ファスナで形成され、
前記ベルト部には、前記面ファスナを被覆し又は露出させる面ファスナ被覆部が形成されていることを特徴とする請求項１に記載のベビーシューズ。
【発明の詳細な説明】
【技術分野】
【０００１】
本発明は、主に乳幼児等が歩行等の際に使用するベビーシューズに関するものである。
【背景技術】
【０００２】
従来から乳幼児等のための靴としてベビーシューズが広く使用されている。このようなベビーシューズについては、乳幼児等が歩きやすい構成のベビーシューズが提案されている（例えば、特許文献１）。
このような、ベビーシューズは、通常、乳幼児の足を覆うアッパー部を有し、このアッパー部には、乳幼児が足を挿入するための履き口部が形成されていると共に、この履き口部からアッパー部の爪先側に向かって延びるように形成されている足挿入用開口部を備えている。
このため、乳幼児はその足をベビーシューズ内に挿入させやすい構成となっている。
【先行技術文献】
【特許文献】
【０００３】
【特許文献１】特開２００４−２６１４２２号公報
【発明の概要】
【発明が解決しようとする課題】
【０００４】
このような構成では、足のホールド性が低下するため、この足挿入用開口部を覆うように舌状当接部が乳幼児の足の甲を押さえるように配置され、さらに、その上にベルト部が形成される構成となっている。
したがって、乳幼児がベビーシューズを履く際には、ベルトを外し、ベルトをアッパー部から待避状態にし、その状態で舌状当接部を足の甲から離間させる方向に待避させるという動作が必要となる。
しかしながら、このような動作を乳幼児に強いることは困難であり、乳幼児がベビーシューズを履くときは、どうしても保護者等の助けが必要となってしまう場合が多くなるという問題があった。
【０００５】
そこで、本発明は、乳幼児等の使用者が履き易いベビーシューズを提供することを目的とする。
【課題を解決するための手段】
【０００６】
前記目的は、本発明によれば、使用者の足裏側を配置するための靴底部と、前記靴底部から立ち上がり、使用者の足を包むように形成されるアッパー部と、使用者の足を挿入するための履き口部と、前記履き口部の一部を切り欠いて爪先側方向に向かって形成されている足挿入用開口部と、を有する左足用及び右足用からなる１足のベビーシューズであって、前記足挿入用開口部に対応して配置されると共に、前記足挿入用開口部に対する相対位置を変化させることで、前記足挿入用開口部を開状態又は閉状態にすることができる舌状当接部と、前記アッパー部の内足側に基端部を有し、前記足挿入開口部を跨ぐように配置されるベルト部と、を備え、前記ベルト部の先端部の表面側には、該ベルト部を前記基端部側に固定可能なベルト待避位置固定部が形成され、前記ベルト部を折り返し、前記ベルト待避位置固定部で、前記ベルト部を前記アッパー部側に固定することで、前記ベルト部及び前記舌状当接部を前記足挿入用開口部から待避させることができる構成となっており、前記ベルト部は、前記舌状当接部と一体に接続され、前記足挿入用開口部の内足側に沿って、前記舌状当接部が前記アッパー部に接続されており、前記ベルト部及び前記舌状当接部の双方には、脆弱部が形成され、この脆弱部に沿って、前記ベルト部及び前記舌状当接部は折り返されることで、前記ベルト部及び前記舌状当接部が前記アッパー部に沿って配置されて前記開状態となり、前記ベルト部の前記先端部の裏面側には、先端部裏面側面ファスナが形成され、この先端部裏面側面ファスナに対応して前記アッパー部には、アッパー部側面ファスナが形成され、前記右足用及び前記左足用ベビーシューズの前記ベルト部が折り返されて前記ベルト待避位置固定部が前記アッパー部の前記内足側の前記基端部側に固定されたとき、前記右足用又は前記左足用ベビーシューズの前記先端部裏面側面ファスナの一方は、他方のベビーシューズの前記先端部裏面側面ファスナと係合可能な構成となっていること特徴とするベビーシューズにより達成される。
【０００７】
前記構成によれば、舌状当接部の足挿入用開口部に対する位置を開状態又は閉状態に変化させることができると共に、アッパー部の内足側に基端部を有し、前記足挿入開口部を跨ぐように配置されるベルト部を備えている。
また、ベルト部を折り返し、ベルト待避位置固定部で、ベルト部をアッパー部側に固定することで、舌状当接部を開状態に維持し得る構成となっている。
このため、ベビーシューズの足挿入用開口部も開状態に維持され、乳幼児等の使用者がベビーシューズを履くとき、舌状当接部やベルト部が足挿入用開口部を覆うように配置されることなく、待避位置に配置される。
したがって、使用者は、舌状当接部やベルト部を操作して、足挿入用開口部を開状態にする必要なく、そのまま、履くことができるので、極めて履きやすいベビーシューズとなっている。
また、前記構成によれば、舌状当接部とベルト部が接続されているので、ベルト部の操作で、舌状当接部も併せて開状態に移動させることができる。
また、使用者は、ベルト部を操作するだけで、舌状当接部の足挿入用開口部に対する位置を開状態又は閉状態に変化させることができる。そして、ベルト待避位置固定部で、ベルト部をアッパー部側に固定させることで、舌状当接部を開状態に維持させることができる。
したがって、使用者は、容易に足挿入用開口部を開状態で維持させることができ、履きやすいベビーシューズとなる。
また、前記構成によれば、前記構成によれば、舌状当接部が足挿入用開口部の内足側に沿って、前記舌状当接部がアッパー部と接続されている。使用者が、同じ内足側に形成される脆弱部に沿って、ベルト部等を折り返すことで、足挿入用開口部は容易に開状態となり、より履きやすいベビーシューズとなる。
また、前記構成によれば、ベルト部の先端部の表面側に、ベルト待避位置固定部が形成されているので、使用者がベルト部の先端部を操作して、ベルト部をアッパー部側に固定し易い構成となっている。
【００１４】
好ましくは、前記ベルト側待避位置固定部が、面ファスナで形成され、前記ベルト部には、前記面ファスナを被覆し又は露出させる面ファスナ被覆部が形成されていることを特徴とする。
【００１５】
前記構成によれば、ベルト部には、面ファスナを被覆し又は露出させる面ファスナ被覆部が形成されているので、面ファスナを使用しないときは、面ファスナ被覆部で、面ファスナを覆うことができる。
このため、乳幼児等の使用者がベルトを操作する際、その指等が面ファスナに接触して不快と感じることを未然に防ぐことができる。
また、面ファスナ被覆部が、面ファスナを覆わず、面ファスナを露出させるときは、使用者が、ベルト部をアッパー部に固定させる動作を行うときであるから、使用者は、面ファスナから待避して配置される面ファスナ被覆部を摘み部として使用することで、ベルト部をより操作し易くなる。
【発明の効果】
【００１８】
本発明は、乳幼児等の使用者が履き易いベビーシューズを提供することができるという利点がある。
【図面の簡単な説明】
【００１９】
【図１】本発明の第１の実施の形態にかかるベビーシューズ（左足用）を示す概略正面図である。
【図２】図１のベビーシューズの概略右側面図である。
【図３】図１のベビーシューズの概略左側面図である。
【図４】図１のベルト部及び舌状当接部を開状態したベビーシューズを示す概略正面図である。
【図５】図４のベビーシューズの概略左側面部である。
【図６】図４のベビーシューズの概略右側面図である。
【図７】図１のベビーカーの先端部表面側面ファスナを露出させた状態を示す概略右側面図である。
【図８】人の足指屈曲部の位置を示す概略説明図である。
【図９】本発明の第２の実施の形態にかかるベビーシューズを示す概略図である。
【図１０】図９のベルト部をアッパー部から外した状態を示す概略図である。
【図１１】図１０の舌状当接部を折り曲げた状態等を示す概略図である。
【発明を実施するための形態】
【００２０】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
（第１の実施の形態）
以下、本発明の第１の実施の形態にかかるベビーシューズ１について説明する。
図１乃至図３に示すベビーシューズ１は、乳幼児の月齢７ヶ月程度から１４ヶ月程度までの乳幼児のためのものである。
この時期の乳幼児は、歩行を完全に習得する前の状態で、歩行練習を盛んに行う時期となる。また、この時期の乳幼児は、手すり等につかまって、立ち上がることができる「つかまり立ち」の時期であり、歩行としては、所謂「伝い歩き」の時期となる。
【００２２】
図１乃至図３に示すように、本実施の形態のベビーシューズ１は、使用者である例えば、乳幼児（たっち、伝い歩き、手放し歩き時期、月齢７ヶ月程度から１４ヶ月程度、靴のサイズ、１１．０ｃｍ乃至１２．５ｃｍ）の足裏側を配置するための靴底部１０を有している。
また、この靴底部１０から立ち上がるように、且つ乳幼児の足を包むようにアッパー部２０が形成されている（図２等参照）。
【００２３】
さらに、このアッパー部２０には、乳幼児の足を挿入するための履き口部３０が形成されている。
また、図１に示すように、アッパー部２０には、ベビーシューズ１を履いた乳幼児の足の甲の部分に当接するように配置される舌状当接部５０が形成され、この舌状当接部５０の表面（上）側には、アッパー部２０に対して着脱可能に固定されるベルト部６０が形成されている。
【００２４】
本実施の形態のベビーシューズ１は、図４に示すように、履き口部３０の一部を切り欠いて爪先側方向に向かって足挿入用開口部４０が形成されている。この足挿入用開口部４０は、図４に示すように、例えば、乳幼児の足を挿入し易い略長円状となっている。
また、図１等の舌状当接部５０は、この足挿入用開口部４０に対応して配置され、図１及び図４に示すように、足挿入用開口部４０に対して、その相対位置を変化（足挿入用開口部４０を覆う位置又は足挿入用開口部４０を露出させる位置に変化）させることで、足挿入用開口部４０を閉状態（図１）又は開状態（図４）にすることができるようになっている。
【００２５】
具体的には、舌状当接部５０は、図４に示すように、アッパー部２０の内足側で履き口部３０から爪先部７０に沿って、すなわち、足挿入用開口部４０の内足側（図において左側）におけるベビーシューズ１の長手方向に沿って、アッパー部２０と一体となるように接続されている。
このため、舌状当接部５０は、このベビーシューズ１の内足側の長手方向に沿って、図４に示すように折り返されることで、足挿入用開口部４０を開状態にする構成となっている。
また、本実施の形態では、この折り返し部分について、後述するように、折り返し線として機能する縫合部６３が形成されているため、使用者は、この舌状当接部４０を折り返し易い構成となっている。
【００２６】
また、本実施の形態では、この舌状当接部５０の表面側にベルト部６０が一体的に配置され、舌状当接部５０は、ベルト部６０の移動に追従する構成となっている。
このベルト部６０は、図１等に示すように、横長の帯状となっており、その基端部である例えば、ベルト基端部６１は、図３に示すようにアッパー部２０の一方側である例えば、内足側に固定されている。
一方、ベルト部６０の先端部である例えば、ベルト先端部６２は、図２に示すようにアッパー部２０の例えば、外足側に着脱可能に固定配置できるようになっている。
【００２７】
ベルト部６０のベルト先端部６２の裏面側には、図５に示すように、先端部裏面側面ファスナ６２ａが形成されている。また、図５の先端部裏面側面ファスナ６２ａに対応して、図６に示すように、アッパー部２０には、アッパー部側面ファスナ２０ａが形成されている。
したがって、使用者が、先端部裏面側面ファスナ６２ａとアッパー部側面ファスナ２０ａを当接させることで、先端部裏面側面ファスナ６２ａをアッパー部側面ファスナ２０ａに固定させることができる。
また、逆に、使用者が、ベルト先端部６２等を把持して、アッパー部側面ファスナ２０ａに固定状態の先端部裏面側面ファスナ６２ａをアッパー部側面ファスナ２０ａから引き離す方向に移動させると、両者の固定状態が解除される構成となっている。
すなわち、ベルト部６０は、アッパー部２０に対して、先端部裏面側面ファスナ６２ａとアッパー部側面ファスナ２０ａを介して、着脱可能な構成となっている。そして、先端部裏面側面ファスナ６２ａは、アッパー部側面ファスナ２０ａと比してその面積が大きく形成されている。これは、ベルト部６０の固定位置を調整できるようにするためである。
【００２８】
また、ベルト部６０及び舌状当接部５０の双方には、図１及び図４に示すように、脆弱部である例えば、縫合部６３が形成されている。
この縫合部６３は、図１等に示すように、ベビーシューズ１の履き口部３０から爪先部７０側に沿って、すなわち、上述の折り返し線である足挿入用開口部４０の長手方向に沿って形成されている。
【００２９】
したがって、使用者が、ベビーシューズ１の図１の状態からベルト部６０のベルト先端部６２を保持して、先端部裏面側面ファスナ６２ａとアッパー部側面ファスナ２０ａとの係合を解除して、ベルト先端部６２をベルト基端部６１側に移動させると、図４に示すように、ベルト部６０と舌状当接部５０は、縫合部６３に沿って折り返される。
このため、図４に示すように、足挿入用開口部４０をほぼ完全に露出させることができる。したがって、使用者は、ベビーシューズ１を容易に履くことができる。
なお、縫合部６３は、足挿入用開口部４０を開状態としたときにベルト部６０が折り返しやすくするために設けられるものであり、ベルト部６０を容易に折り返すことができるものであれば、脆弱部となる縫合部６３を設ける必要はない。
【００３０】
また、図４に示すように、舌状当接部５０の爪先側である爪先側舌状当接部５２では、アッパー部２０の内足側から爪先側の略中央部分までの間が、アッパー部２０に固定されている。
このため、図４に示すように、舌状当接部５０を略半分に折り返し、足挿入用開口部４０を開状態とすることができる。
【００３１】
このとき、舌状当接部５０は、ベルト部６０と一体に形成され、ベルト部６０の移動に追従する構成となっているので、ベルト部６０のベルト先端部６２をベルト基端部６１側に移動させると、舌状当接部５０も追従して、縫合部６３に沿って折り返され、足挿入用開口部４０を露出させることができる。
したがって、使用者は、舌状当接部５０を操作することなく、ベルト部６０のみを操作することで、舌状当接部５０を折り返すことができ、使用者は容易に足挿入用開口部４０を開状態にすることができる。
【００３２】
また、本実施の形態では、図４に示すように、足挿入用開口部４０の開状態を維持するための構成を有している。
ベルト部６０のベルト先端部６２の表面側には、図７に示すように、例えば、星の形状のベルト待避位置固定部である先端部表面側面ファスナ６２ｂが形成されている。
また、この先端部表面側面ファスナ６２ｂに対応して、ベルト部６０のベルト基端部６１の表面には、先端部表面側面ファスナ６２ｂと着脱可能に係合する基端部表面側面ファスナ６１ａが、例えば、星の形状で形成されている。
【００３３】
したがって、使用者が、ベルト部６０のベルト先端部６２を保持して、上述の縫合部６３に沿ってベルト部６０と舌状当接部４０を折り返すように、図４に示すように移動させ、足挿入用開口部４０を開状態にしたとき、このベルト先端部６２の表面に形成されている先端部表面側面ファスナ６２ｂ（図７参照）を、図３の基端部表面側面ファスナ６１ａと当接させ、係合させることで、足挿入用開口部４０は、図４に示すように、開状態で維持され固定されることになる。
【００３４】
したがって、ベビーシューズ１の足挿入用開口部４０を開状態で靴箱等に置いておけば、乳幼児は、自己のベビーシューズ１を履くときに、ベルト部６０や舌状当接部４０を操作して、足挿入用開口部４０から待避させ、足挿入用開口部４０を開状態にする必要がなく、靴箱等から取り出してそのまま、履くことができる。
【００３５】
特に、従来から、使用者がベビーシューズを靴箱、土間等に配置、保管するときは、履くときと同じ状態、すなわち、舌状当接部が足挿入用開口部を覆う状態として保管等する場合が多い。
これは、ベビーシューズのベルト部をアッパー部に固定しない状態、すなわち、ベルト部が宙ぶらりんの状態（固定されず不安定な状態）とすると、ベビーシューズ全体がすっきりまとまらなくなるためで、使用者は、かかる事態の発生を回避するため、ベルト部をアッパー部に固定された状態で、靴箱等に保管するようにしていた。
このため、従来は、靴箱等内でベビーシューズを保管するときは、舌状当接部が足挿入用開口部を覆った状態（閉状態）で保管していた。
【００３６】
そこで、使用者が、靴箱等内に保管されているベビーシューズを履くときは、以下のような手順を経る必要があった。
先ず、ベビーシューズのアッパー部に固定されているベルト部をアッパー部から引き剥がし、その後、足挿入用開口部を覆っている舌状当接部を足挿入用開口部から待避させ、足を挿入させた。その後、再び、舌状当接部を足挿入用開口部を覆うように配置し、ベルト部をアッパー部に固定させることで歩行等が可能な状態とした。
【００３７】
したがって、使用者がベビーシューズを脱ぎ、靴箱等に入れようとすると、以下のような手順を使用者に強いることとなった。
先ず、ベルト部とアッパー部との固定を解除し、舌状当接部を足挿入用開口部から待避させ、足をベビーシューズから排出させる（抜く）。その後、再び、足挿入用開口部を覆うように舌状当接部を配置して、さらに、ベルト部をアッパー部に固定させる必要があった。
このような手順を経て、初めてベビーシューズは、すっきりと靴箱等に配置、保管できる状態となった。
【００３８】
この点、本実施の形態では、靴箱等内にベビーシューズ１を配置、保管する際、上述のように、ベルト先端部６２の表面に形成されている先端部表面側面ファスナ６２ｂ（図７参照）を、図３の基端部表面側面ファスナ６１ａと当接させ、係合させることで、足挿入用開口部４０は、図４に示すように、開状態で維持され固定されると共に、その形態や外観はすっきりした状態ともなっている。
したがって、使用者は、ベビーシューズ１を靴箱等に保管するときは、上述のように、足挿入用開口部４０を開状態として保管でき、この点が従来のベビーシューズとは大きく相違する本実施の形態に係るベビーシューズ１の特徴となる。
【００３９】
そして、この特徴から、使用者が靴箱等内に保管されている本実施の形態にかかるベビーシューズ１を履くときは、以下のような手順を経ることなる。
先ず、保管されているベビーシューズ１を靴箱等から取り出すと、既に、足挿入用開口部４０は開状態となっているので、そのまま、使用者は足を挿入することができる。
このため、従来のように、靴箱等から取り出したベビーシューズ１のベルト部６０をアッパー部２０から外し、舌状当接部５０を足挿入用開口部４０から待避させるという手順を経る必要がないので、使用者は、ベビーシューズ１を靴箱等から取り出すやいなや直ちに履くことができるので、使い易いベビーシューズ１となっている。
【００４０】
特に、乳幼児は、好奇心が旺盛で、ベビーシューズ１を履いて直ぐにでも外に行きたいという願望が強く現れる。この点、本実施の形態のベビーシューズ１は、かかる願望を満たすような、きわめて短時間の短作業で履くことができる構成となっている。
また、本実施の形態にかかるベビーシューズ１を靴箱等に保管する際に、足挿入用開口部４０を開状態で保管しても、ベルト部６０が宙ぶらりんな、不安定状態となることはなく、ベルト部６０は固定された状態となり、その外観等は上述のように、すっきりした状態となり、乳幼児の保護者等の要望（ベルト部６０が宙ぶらりんな状態で脱ぎっぱなしのような散らかった様相を呈するものでないこと等）にも合致するものである。
【００４１】
また、このように、開状態を維持することができるので、例えば、洗濯を行った後にベビーシューズ１内部への通気を容易に確保することができ、より乾きやすいこととなる。
【００４２】
また、本実施の形態では、図１等に示すように、縫合部６３が、ベルト部６０と舌状当接部５０を重ね合わせるように配置されている。すなわち、縫合部６３においては、ベルト部６０のみならず、舌状当接部５０も合わせて縫合されている。
したがって、図４に示すような状態で、使用者が足挿入用開口部４０に足を挿入し終わった後、使用者が、ベルト部６０の先端部表面側面ファスナ６２ｂを、図３のベルト基端部表面側面ファスナ６１ａから引き離すように離間させ、その係合（固定）状態を解除させると、ベルト部６０のベルト先端部６２が自由端となる。
すると、ベルト部６０と舌状当接部４０の復元力で、自動的に、ベルト部６０と舌状当接部５０は、足挿入用開口部４０を覆うように配置される。
したがって、使用者は、その後、ベルト先端部６２の図５に示す先端部裏面側面ファスナ６２ａを図６に示すアッパー部面ファスナ２０ａと当接させ、係合させるだけで、図１に示すようにベルト部６０をアッパー部２０に固定することができる。
これにより、ベビーシューズ１は、乳幼児の足をしっかりとホールドすることになる。
【００４３】
また、本実施の形態では、図７等に示すように、先端部表面側面ファスナ６２ｂには、この先端部表面側面ファスナ６２ｂを被覆し又は露出させる面ファスナ被覆部である例えば、カバー部６４が形成されている。
カバー部６４は、図２及び図７等に示すように、全体が略楕円形状をなし、その端部であるカバー端部６４ａが、ベルト先端部６２と接続されている。そして、このベルト先端部６２を支点として、カバー部６４は、先端部表面側面ファスナ６２ｂの被覆状態（図２）又は露出状態（図７）に移動可能な構成となっている。
【００４４】
このため、乳幼児が先端部表面側面ファスナ６２ｂを利用しないとき、すなわち、ベビーシューズ１を履いて、歩行等をしているときは、図２に示すように、カバー部６４で先端部表面側面ファスナ６２ｂを被覆し、露出させない状態とすることができる。
これにより、ベルト部６０の表面側に形成されている先端部表面側面ファスナ６２ｂが乳幼児等の手等に直接、触れることがなく、面ファスナに触れたときの不快な感じを乳幼児等に与えることを未然に防ぐことができる。
【００４５】
一方、乳幼児等の使用者がベビーシューズ１を脱ぐときは、このカバー部６４を操作し、図７に示すように、先端部表面側面ファスナ６２ｂを露出させるが、このとき、乳幼児等は、このカバー部６４を摘み部として使用することで、ベルト部６０及舌状当接部５０を図４等の開状態に移動させ易い構成となっている。
【００４６】
また、図１等に示すように、ベビーシューズ１の爪先部７０には、その表面に合皮７１が配置され、剛性が高められている。これにより、ベビーシューズ１の爪先部７０は形状が保持され、その内側には、所定の空間が確保される。したがって、乳幼児等がベビーシューズ１内で足指を上下左右に動かすことができる。
乳幼児、特に月齢７ヶ月から１４ヶ月程度までの乳幼児は、歩行動作の練習の際、足指を上下左右に動かすことで、そのバランスを取っている。
このように、本実施の形態のベビーシューズ１では、爪先部７０の形状が保持されているので、乳幼児のかかる足指の動きを妨げない構成となっており、乳幼児が歩行動作の練習をし易い構成となっている。
【００４７】
ところで、図１及び図２に示すように、舌状当接部５０は、足挿入用開口部４０の爪先側である屈曲部５１を有している。このため、歩行に際し、この屈曲部５１に沿って、乳幼児等の使用者の足の屈曲動作に合わせて、ベビーシューズ１が曲がり易い構成となっている。
乳幼児は歩行運動をする際に、足指の根本近傍を屈曲させるが、この屈曲部分が図８に示す足指屈曲部Ｃである。
図８に示すように、足指屈曲部Ｃは、人の足指の第１趾から第５趾の根本付近に亘って形成されている。そして、この部分が、歩行に際し、最も屈曲する部分となる。
本実施の形態では、この足指屈曲部Ｃの上方に相当する部分に、図１等の屈曲部５１が形成されているので、極めて歩行し易い構成となっている。
【００４８】
なお、本実施の形態にかかる先端部裏面側面ファスナ６２ａ等の面ファスナとして、例えば、雄型／雌型の区別のないタイプの面ファスナを採用することもできる。
この場合、特に、かかる面ファスナを、先端部裏面側面ファスナ６２ａに用いると、足挿入用開口部４０を開状態で、１足のベビーシューズ１を靴箱等内に保管する際に、左右のベビーシューズ１の内足側に配置される先端部裏面側面ファスナ６２ａ、６２ａ同士を係合させることで、一足のベビーシューズ１をまとめることができ、更にすっきりさせることができる。
【００４９】
（第２の実施の形態）
以下、本発明の第２の実施の形態にかかるベビーシューズ１００について説明する。
本実施の形態にかかるベビーシューズ１００の多くの構成は、上述の第１の実施の形態にかかるベビーシューズ１と同様のため、同様の構成は説明を省略し、以下相違点を中心に説明する。
【００５０】
図９に示す本実施の形態にかかるベビーシューズ１００は、図１等に示す第１の実施の形態にかかるベビーシューズ１と異なり、舌状当接部５００とベルト部６００は一体ではなく、別体として形成されている。
すなわち、本実施の形態では、乳幼児等の使用者がベビーシューズ１００を履くと、図１の足挿入用開口部４００に配置される使用者の足の甲側に舌状当接部５００が配置される。
そして、この舌状当接部５００の上側にベルト部６００が配置され、ベルト部６００は、舌状当接部５００を使用者の足の甲側に押し付けることで、使用者の足がベビーシューズ１００内に適切に配置される構成となっている。
【００５１】
また、図９に示すように、ベビーシューズ１００のベルト部６００の先端部であるベルト先端部６２０には、先端部裏面側面ファスナ６２０ａが形成されていると共に、第１の実施の形態と異なり、開口であるベルト開口６４０が形成され、このベルト開口６４０に向かって突出する、すなわちベルト部６００の基端側に突出するようにベルト側フック６３０が形成されている。
【００５２】
一方、ベビーシューズ１００のアッパー部２００側には、図１０に示すように、アッパー側面ファスナ２００ａが形成され、ベルト部６００の先端部裏面側面ファスナ６２０ａと係合、固定可能な構成となっている。
【００５３】
図１０に示すように、ベルト部６００を外すと、舌状当接部５００は開放状態となる。この舌状当接部５００は、図１０に示すように、その爪先側がアッパー部２００と接続され、舌状当接部５００の短手方向に形成される縫合部５３０に沿って折り曲げ可能な構成となっている。
具体的には、舌状当接部５００は、この縫合部５３０を折り目として、足挿入用開口部４００から離間する方向に揺動するように折り曲げられる。
また、図１０に示すように、舌状当接部５００は、その履き口部３００に横長の略長方形に形成する履き口部側面ファスナ５１０が形成されている。
一方、舌状当接部５００の爪先側には、爪先部側面ファスナ５２０が形成されている。
【００５４】
したがって、上述のように、舌状当接部５００が、縫合部５３０を折り目として折り曲げられると、この履き口部側面ファスナ５１０が爪先側面ファスナ５２０に当接し、係合され、舌状当接部５００が折り曲げられた状態で、維持、固定される構成となっている。
具体的には、図１１に示すように、舌状当接部５００は折り曲げられ、その状態が維持される。
このように、履き口部側面ファスナ５１０及び爪先側面ファスナ５２０は、舌状当接部用固定部の一例となっている。
【００５５】
また、図１０に示すように、ベルト部６００の中央部分の裏面側には、ベルト中央部側面ファスナ６６０が形成され、舌状当接部５００の履き口部側面ファスナ５１０と係合可能な構成となっている。
したがって、使用者がベルト部６００をアッパー部２００から取り外し、図１０に示す位置に移動させると、舌状当接部５００もそのベルト部６００の動作の影響を受けて、めくれ上がることになる。
したがって、使用者は、その後の舌状当接部５００の折り曲げをし易い構成となっている。
【００５６】
一方、ベルト部６００は、図１１に示すように、折り返されると、そのベルト先端部６２０に形成されているベルト側フック６３０が、ベルト部６００の基端部側に形成されているリング６５０と係合可能な構成となっている。
したがって、ベルト側フック６３０をリング６５０に係合、固定させることで、ベルト部６００は、図１１に示すように、折り返された状態で維持固定される。
【００５７】
このように、本実施の形態では、図１１に示すように、舌状当接部５００を折り曲げた状態で維持固定させることができると共に、ベルト部６００を折り返した状態で維持固定させることもできるので、足挿入用開口部４００は開状態で維持され、乳幼児等の使用者が履きやすいベビーシューズ１００となる。
【符号の説明】
【００５８】
１、１００・・・ベビーシューズ、１０・・・靴底部、２０、２００・・・アッパー部、２０ａ・・・アッパー部側面ファスナ、３０、３００・・・履き口部、４０、４００・・・足挿入用開口部、５０、５００・・・舌状当接部、５１・・・屈曲部、５２・・・爪先側舌状当接部、６０、６００・・・ベルト部、６１・・・ベルト基端部、６１ａ・・・基端部表面側面ファスナ、６２、６２０・・・ベルト先端部、６２ａ・・・先端部裏面側面ファスナ、６２ｂ・・・先端部表面側面ファスナ、６３，５３０・・・縫合部、６４・・・カバー部、６４ａ・・・カバー端部、７０、７００・・・爪先部、７１・・・合皮、２００ａ・・・アッパー側面ファスナ、５１０・・・履き口部側面ファスナ、５２０・・・爪先部側面ファスナ、６２０ａ・・・先端部裏面側面ファスナ、６３０・・・ベルト側フック、６４０・・・ベルト開口、６５０・・・リング
【図１】
0006001866.tif 000002
【図２】
0006001866.tif 000003
【図３】
0006001866.tif 000004
【図４】
0006001866.tif 000005
【図５】
0006001866.tif 000006
【図６】
0006001866.tif 000007
【図７】
0006001866.tif 000008
【図８】
0006001866.tif 000009
【図９】
0006001866.tif 000010
【図１０】
0006001866.tif 000011
【図１１】
0006001866.tif 000012